(57)【特許請求の範囲】
【請求項１】
外部から送信される信号を、被駆動ユニットのモータコイルを介して受信する受信部と、
前記受信部で受信した信号の種別を検知する検知部と、
機器の内部温度を検出して温度信号を生成する温度検出部と、
前記検知部の検知結果に基づいて、前記温度信号あるいは当該温度信号を変換することにより得られる温度ディジタルデータを前記モータコイルを介して外部装置に出力する検査部と、
周波数変化が温度を入力変数とした関数で表される基準信号を生成する基準信号生成部と、
前記検査部により出力された前記温度信号あるいは温度ディジタルデータに基づき前記外部装置が算出した関数の係数および定数を、補正データとして記憶する記憶部と、
前記温度信号と前記補正データとを前記関数に代入し、前記基準信号の周波数変化を求めて、当該変化をなくすように前記基準信号の周波数を補正する補正部と、
前記補正部の出力信号に基づいて駆動信号を生成し、前記モータコイルに前記駆動信号を出力する駆動部と
を備えることを特徴とする電子機器。
【請求項２】
請求の範囲第１項記載の電子機器において、
前記検査部は、前記温度信号あるいは前記温度ディジタルデータを前記モータコイルを介して外部に出力する期間中、前記モータコイルの駆動を停止するように前記駆動部を制御することを特徴とする電子機器。
【請求項３】
請求の範囲第１項記載の電子機器において、
前記検査部は、前記検知部の検知結果に基づいて、前記基準信号の周波数に応じた信号と前記温度信号を前記モータコイルを介して選択的に外部に出力することを特徴とする電子機器。
【請求項４】
請求の範囲第３項記載の電子機器において、
前記検査部は、前記補正部の補正動作を禁止することにより、前記基準信号の周波数に応じた信号を前記駆動信号として前記モータコイルから出力することを特徴とする電子機器。
【請求項５】
請求の範囲第１項記載の電子機器において、
前記温度検出部は、機器の内部温度に応じて周波数が変化する感温発振信号を前記温度信号として出力すること特徴とする電子機器。
【請求項６】
請求の範囲第１項記載の電子機器において、
前記基準信号生成部は、水晶振動子を用いた発振回路を備え、
前記被駆動ユニットは、アナログ指針により計時動作を行うアナログ計時ユニットであることを特徴とする電子機器。
【請求項７】
モータコイルを有する外部の電子機器を調整する外部調整装置であって、
前記モータコイルと電磁結合するコイルと、
前記コイルを介して前記電子機器からの信号である温度信号あるいは前記温度ディジタルデータを受信する受信部と、
前記コイルを介して前記電子機器へ信号を送信する送信部と、
前記受信部によって受信された前記温度信号あるいは前記温度ディジタルデータと、前記受信部によって受信された前記モータコイルの駆動信号とに基づいて、補正信号を生成し、当該補正信号を前記送信部に出力する補正信号生成部と
を備えることを特徴とする外部調整装置。
【請求項８】
請求の範囲第７項に記載の外部調整装置において、
前記温度信号あるいは前記温度ディジタルデータの出力を指示する第１信号および補正動作の禁止を指示する第２信号を生成し、前記送信部に出力する信号生成部を備えたことを特徴とする外部調整装置。
【請求項９】
機器の内部温度に応じて周波数が変化する感温発振信号を温度信号あるいは前記感温発振信号を変換することにより得られる温度ディジタルデータとして出力するためのモータコイルと、前記温度信号あるいは前記温度ディジタルデータのいずれか一方および補正データに基づいて、基準信号の周波数を前記内部温度に応じて補正する補正部と、を有する外部の電子機器を調整する外部調整装置であって、
前記モータコイルと電磁結合するコイルと、
前記コイルを介して前記電子機器からの信号である温度信号あるいは前記温度ディジタルデータを受信する受信部と、
前記コイルを介して前記電子機器へ信号を送信する送信部と、
前記受信部によって受信された前記温度信号あるいは前記温度ディジタルデータと、前記受信部によって受信された前記モータコイルの駆動信号とに基づいて、補正信号を生成し、当該補正信号を前記送信部に出力する補正信号生成部と
を備えることを特徴とする外部調整装置。
【請求項１０】
請求の範囲第９項記載の外部調整装置において、
前記補正信号生成部は、前記前記補正部の補正動作が禁止されている期間中に前記受信部によって受信された前記駆動信号に基づいて前記補正信号を生成することを特徴とする外部調整装置。
【請求項１１】
機器の内部温度に応じて周波数が変化する感温発振信号を温度信号あるいは前記感温発振信号を変換することにより得られる温度ディジタルデータとして出力するためのモータコイルと、前記温度信号あるいは前記温度ディジタルデータのいずれか一方および補正データに基づいて、基準信号の周波数を前記内部温度に応じて補正する補正部と、を有する外部の電子機器を調整する外部調整装置であって、
前記モータコイルと電磁結合するコイルと、
前記コイルを介して前記電子機器からの信号を受信する受信部と、
前記コイルを介して前記電子機器へ信号を送信する送信部と、
前記受信部によって受信された前記温度信号と、前記補正部の補正動作が禁止されている期間中に前記受信部によって受信された前記駆動信号との周波数を各々検出する周波数検出部と、
前記周波数検出部の検出結果に基づいて補正信号を生成し、当該補正信号を前記送信部に出力する補正信号生成部と
を備えることを特徴とする外部調整装置。
【請求項１２】
モータコイルを有する外部の電子機器を調整する調整方法であって、  前記電子機器において検出された温度に対応する温度信号あるいは当該温度信号を変換することにより得られる温度ディジタル信号を出力することを指示する信号を前記モータコイルを介して前記電子機器に送信する第１工程と、
前記モータコイルから送信される前記温度信号あるいは前記温度ディジタル信号を受信して前記電子機器において検出された温度を検知する第２工程と、
補正動作の禁止開始を指示する信号を前記モータコイルを介して前記電子機器に送信する第３工程と、
前記モータコイルから送信される駆動信号を受信して当該駆動信号の周波数を計測する第４工程と、
前記第１工程から前記第４工程を複数回繰り返し、検知した温度と周波数とに基づいて補正信号を生成する第５工程と、
前記補正信号を前記モータコイルを介して前記電子機器に送信する第６工程と
を備えたことを特徴とする電子機器の調整方法。
【請求項１３】
モータコイルを有する外部の電子機器を調整する調整方法であって、
補正動作の禁止開始を指示する信号を前記モータコイルを介して前記電子機器に送信する第１工程と、
前記モータコイルから送信される駆動信号を受信して当該駆動信号の周波数を計測する第２工程と、
前記電子機器の温度検出部において検出された温度に対応する温度信号あるいは当該温度信号を変換することにより得られる温度ディジタル信号を出力することを指示する信号を前記モータコイルを介して前記電子機器に送信する第３工程と、
前記モータコイルから送信される前記温度信号あるいは前記温度ディジタル信号を受信して前記温度検出部で検出された温度を検知する第４工程と、
前記第１工程から前記第４工程を複数回繰り返し、検知した温度と周波数とに基づいて補正信号を生成する第５工程と、
前記補正信号を前記モータコイルを介して前記電子機器に送信する第６工程と
を備えたことを特徴とする電子機器の調整方法。
【発明の詳細な説明】
【０００１】
（技術分野）
本発明は、電子機器、電子機器の外部調整装置、電子機器の調整方法に係り、特にアナログ時計、ディジタル時計などの計時装置あるいは各種センサを内蔵した電子機器、これらの電子機器の調整を行うための外部調整装置並びに電子機器の調整方法に関する。
【０００２】
（背景技術）
従来のアナログ電子時計においては、水晶発振器の発振信号を分周器で分周し、分周された発振信号に基づいて、駆動モータを駆動して指針を動かすのが一般的である。さらに、使用時の環境温度が変化しても正確な計時が行えるように、温度補正機能を備えたアナログ電子時計が開発されている。このようなアナログ電子時計は、温度に応じて発振周波数が変化する感温発振器を備え、その発振周波数に基づいて分周器の分周比を設定している。
【０００３】
しかし、水晶発振器の発振周波数は、個々の水晶振動子の特性や水晶発振器を構成する回路素子等によってバラツキ、また、感温発振器の温度に対する発振周波数の特性も一様ではない。
【０００４】
このため、温度補正機能を備えたアナログ電子時計では、回路ブロックまたはムーブメント状態において、水晶発振器の発振周波数と感温発振器の発振周波数を計測し、検査結果に応じて補正データを不揮発性メモリに書込み、この補正データに基づいて分周器の分周比を調整していた。この場合、発振周波数の測定は、所定のテスト端子に測定用プローブを押し当てることによって行われていた。
【０００５】
ところで、発振周波数の測定には、測定用プローブが用いられるため、回路ブロックやムーブメントを外装に組み込む前に、上述した調整を行う必要がある。  しかしながら、回路ブロックをムーブメントに組み込んだり、ムーブメントを外装に組み込んだりした場合には、浮遊容量や応力が変化するため、水晶発振器および感温発振器の発振周波数特性が組み込みの前後でシフトしてしまう。このため、調整が不正確になってしまうとともに、製品の歩留まりが悪くなってしまうという問題点があった。
【０００６】
本発明は上述した事情に鑑みてなされたものであり、その目的はムーブメントや外装に組み込んだ際にも調整精度を確保することができ、調整の自由度および調整速度の向上を図ることが可能な電子機器およびその外部調整装置並びに電子機器の調整方法を提供することにある。
【０００７】
（発明の開示）
本発明の第１の態様は、外部から送信される信号を、被駆動ユニットのモータコイルを介して受信する受信部と、前記受信部で受信した信号の種別を検知する検知部と、機器の内部温度を検出して温度信号を生成する温度検出部と、前記検知部の検知結果に基づいて、前記温度信号あるいは当該温度信号を変換することにより得られる温度ディジタルデータを前記モータコイルを介して外部装置に出力する検査部と、周波数変化が温度を入力変数とした関数で表される基準信号を生成する基準信号生成部と、前記検査部により出力された前記温度信号あるいは温度ディジタルデータに基づき前記外部装置が算出した関数の係数および定数を、補正データとして記憶する記憶部と、前記温度信号と前記補正データとを前記関数に代入し、前記基準信号の周波数変化を求めて、当該変化をなくすように前記基準信号の周波数を補正する補正部と、前記補正部の出力信号に基づいて駆動信号を生成し、前記モータコイルに前記駆動信号を出力する駆動部とを備えることを特徴としている。
【００１１】
本発明の第２の態様は、本発明の第１の態様において、検査部は、温度信号あるいは温度ディジタルデータをモータコイルを介して外部に出力する期間中、モータコイルの駆動を停止するように駆動部を制御することを特徴としている。
【００１２】
本発明の第３の態様は、本発明の第１の態様において、検査部は、検知部の検知結果に基づいて、基準信号の周波数に応じた信号と温度信号をモータコイルを介して選択的に外部に出力することを特徴としている。
【００１３】
本発明の第４の態様は、本発明の第３の態様において、検査部は、補正部の補正動作を禁止することにより、基準信号の周波数に応じた信号を駆動信号としてモータコイルから出力することを特徴としている。
【００１４】
本発明の第５の態様は、本発明の第１の態様において、温度検出部は、機器の内部温度に応じて周波数が変化する感温発振信号を温度信号として出力すること特徴としている。
【００１５】
本発明の第６の態様は、本発明の第１の態様において、基準信号生成部は、水晶振動子を用いた発振回路を備え、被駆動ユニットは、アナログ指針により計時動作を行うアナログ計時ユニットであることを特徴としている。
【００１６】
本発明の第７の態様は、モータコイルを有する外部の電子機器を調整する外部調整装置であって、モータコイルと電磁結合するコイルと、コイルを介して電子機器からの信号である温度信号あるいは温度ディジタルデータを受信する受信部と、コイルを介して電子機器へ信号を送信する送信部と、受信部によって受信された温度信号あるいは温度ディジタルデータと、受信部によって受信されたモータコイルの駆動信号とに基づいて、補正信号を生成し、当該補正信号を送信部に出力する補正信号生成部とを備えることを特徴としている。
【００１７】
本発明の第８の態様は、本発明の第７の態様において、温度信号あるいは温度ディジタルデータの出力を指示する第１信号および補正動作の禁止を指示する第２信号を生成し、送信部に出力する信号生成部を備えたことを特徴としている。
【００１８】
本発明の第９の態様は、機器の内部温度に応じて周波数が変化する感温発振信号を温度信号あるいは感温発振信号を変換することにより得られる温度ディジタルデータとして出力するためのモータコイルと、温度信号あるいは温度ディジタルデータのいずれか一方および補正データに基づいて、基準信号の周波数を内部温度に応じて補正する補正部と、を有する外部の電子機器を調整する外部調整装置であって、モータコイルと電磁結合するコイルと、コイルを介して電子機器からの信号である温度信号あるいは温度ディジタルデータを受信する受信部と、コイルを介して電子機器へ信号を送信する送信部と、受信部によって受信された温度信号あるいは温度ディジタルデータと、受信部によって受信されたモータコイルの駆動信号とに基づいて、補正信号を生成し、当該補正信号を送信部に出力する補正信号生成部とを備えることを特徴としている。
本発明の第１０の態様は、本発明の第９の態様において、補正信号生成部は、補正部の補正動作が禁止されている期間中に受信部によって受信された駆動信号に基づいて補正信号を生成することを特徴としている。
【００１９】
本発明の第１１の態様は、機器の内部温度に応じて周波数が変化する感温発振信号を温度信号あるいは感温発振信号を変換することにより得られる温度ディジタルデータとして出力するためのモータコイルと、温度信号あるいは温度ディジタルデータのいずれか一方および補正データに基づいて、基準信号の周波数を内部温度に応じて補正する補正部と、を有する外部の電子機器を調整する外部調整装置であって、モータコイルと電磁結合するコイルと、コイルを介して電子機器からの信号を受信する受信部と、コイルを介して電子機器へ信号を送信する送信部と、受信部によって受信された温度信号と、補正部の補正動作が禁止されている期間中に受信部によって受信された駆動信号との周波数を各々検出する周波数検出部と、周波数検出部の検出結果に基づいて補正信号を生成し、当該補正信号を送信部に出力する補正信号生成部とを備えることを特徴としている。
【００２０】
本発明の第１２の態様は、モータコイルを有する外部の電子機器を調整する調整方法であって、電子機器において検出された温度に対応する温度信号あるいは当該温度信号を変換することにより得られる温度ディジタル信号を出力することを指示する信号をモータコイルを介して電子機器に送信する第１工程と、モータコイルから送信される温度信号あるいは温度ディジタル信号を受信して電子機器において検出された温度を検知する第２工程と、補正動作の禁止開始を指示する信号をモータコイルを介して電子機器に送信する第３工程と、モータコイルから送信される駆動信号を受信して当該駆動信号の周波数を計測する第４工程と、第１工程から第４工程を複数回繰り返し、検知した温度と周波数とに基づいて補正信号を生成する第５工程と、補正信号をモータコイルを介して電子機器に送信する第６工程とを備えたことを特徴としている。
【００２１】
本発明の第１３の態様は、モータコイルを有する外部の電子機器を調整する調整方法であって、補正動作の禁止開始を指示する信号をモータコイルを介して電子機器に送信する第１工程と、モータコイルから送信される駆動信号を受信して当該駆動信号の周波数を計測する第２工程と、電子機器の温度検出部において検出された温度に対応する温度信号あるいは当該温度信号を変換することにより得られる温度ディジタル信号を出力することを指示する信号をモータコイルを介して電子機器に送信する第３工程と、モータコイルから送信される温度信号あるいは温度ディジタル信号を受信して温度検出部で検出された温度を検知する第４工程と、第１工程から第４工程を複数回繰り返し、検知した温度と周波数とに基づいて補正信号を生成する第５工程と、補正信号をモータコイルを介して電子機器に送信する第６工程とを備えたことを特徴としている。
【００２２】
（発明を実施するための最良の形態）
次に本発明の実施の形態について図面を参照して説明する。
【００２３】
［１］  第１実施形態
まず、第１実施形態について説明する。
本第１実施形態にあっては、電子機器としてのアナログ電子時計と、この電子時計を調整するための外部調整装置を一例として説明するが、本発明をこれらに限定する趣旨ではなく、被駆動ユニットを駆動するための駆動用モータコイル（アナログ電子時計における運針用駆動モータコイルに相当）を有する電子機器と駆動用モータコイルを介して通信を行い、調整を行う外部調整装置であれば、本発明の適用が可能である。
【００２４】
［１．１］  アナログ電子時計の構成
まず、アナログ電子時計の構成について説明する。図１にアナログ電子時計の概要構成ブロック図を示す。アナログ電子時計１０は、指針を駆動するための基本的な構成として、発振ユニット１１、分周ユニット１２、駆動パルス発生ユニット１３、モータコイル１４およびモータドライバ１５を備えている。なお、モータコイル１４は、アナログ指針により計時動作を行うアナログ計時ユニットに組み込まれている駆動モータのコイルである。
【００２５】
発振ユニット１１は、水晶振動子および発振回路等から構成され、基準発振信号を生成する。一般に、水晶振動子の温度に対する共振周波数の特性は二次曲線で近似できるため、発振ユニット１１の温度に対する発振周波数の特性は、二次式で与えられる。分周ユニット１２は、分周比を設定可能な分周カウンタ等によって構成され、基準発振信号を分周して分周発振信号を出力する。
【００２６】
駆動パルス発生ユニット１３は、第２制御信号Ｃ２によって動作が制御され、その論理レベルが“Ｌ”レベルの場合に分周発振信号（基準信号）に基づいて駆動パルス信号を生成する一方、論理レベルが“Ｈ”レベルの場合に駆動パルス信号の生成を停止する。したがって、第２制御信号Ｃ２の論理レベルを適宜設定することによって、駆動パルス信号の生成を禁止したり、あるいは禁止を解除したりすることができる。
【００２７】
モータドライバ１５は、駆動パルス信号に基づいて指針駆動用のモータコイル１４を駆動する。なお、モータコイル１４は、指針を駆動する他、各種のデータを送受信するためのアンテナとして作用する。
【００２８】
これらの構成によれば、駆動パルス信号は基準発振信号に基づいて生成されるので、基準発振信号の周波数は駆動パルス信号の周波数に比例したものとなる。したがって、駆動パルス信号のパルス間隔からその周波数を計測すれば、計測結果の基づいて基準発振信号の周波数を検知することができる。また、分周ユニット１２によって分周比を適宜設定することによって、歩度（時計の時間が標準時間と異なっている量；秒／日）を調整することが可能である。
【００２９】
さらにアナログ電子時計１０は、温度に対する歩度の特性を調整するための構成として、受信ユニット２０、データ制御ユニット２１、記憶ユニット２２、感温発振ユニット２３、温度補正ユニット２４、感温発振テストユニット２５、リュウズスイッチ（リセットスイッチ）２６およびリセットユニット２７を備えている。
【００３０】
まず、受信ユニット２０は、コンパレータ、シフトレジスタなどにより構成されるとともにモータコイル１４と接続されており、外部のコイルとモータコイル１４とが電磁結合することにより入力される各種データを受信し、これを波形整形して受信データとして出力する。
【００３１】
次に、データ制御ユニット２１は、カウンタやゲート類で構成され、受信ユニット２０の後段に設けられており、受信データに基づいて各種制御を行う。より具体的には受信データのパルスパターンを識別し、識別結果に基づいて“Ｈ”レベルでアクティブとなる第１制御信号Ｃ１および第２制御信号Ｃ２を生成するとともに、受信データの一部である温度補正データを記憶ユニット２２に出力する。
また、記憶ユニット２２は、温度補正データを記憶するためのＥＥＰＲＯＭ等から構成されている。
【００３２】
次に、感温発振ユニット２３は温度によって駆動電流が変化するリングオシレータ等で構成され、温度に対する発振周波数が一次式で与えられる周波数特性を有し、感温発振信号を生成する。
【００３３】
次に、温度補正ユニット２４は、カウンタやゲート類で構成され、記憶ユニット２２に記憶されている補正データと感温発振信号の発振周波数とに基づいて、分周ユニット１２を制御する。これにより、温度に対する歩度の特性が調整される。
【００３４】
次に、感温発振テストユニット２５は、温度によって発振周波数が変化するリングオシレータ等で構成され、感温発振信号の発振周波数を示す感温発振テスト信号を第１制御信号Ｃ１が有効な期間中に出力するよう構成されている。感温発振テストユニット２５は、例えば、感温発振信号を固定の分周比で分周する分周器、分周器の出力信号を遅延する遅延回路、分周器の出力信号と遅延回路の出力信号との排他的論理和を生成する排他的論理和回路、排他的論理和回路の出力信号が一方の入力端子に供給されるともに他方の入力端子に第１制御信号Ｃ１が供給されるアンド回路から構成される。この構成によれば、第１制御信号Ｃ１が“Ｈ”レベルの期間に、感温発振信号の発振周波数に応じた数のパルスを感温発振テスト信号としてアンド回路の出力端子から取り出すことができる。この感温発振テスト信号はモータドライバ１５に供給されるが、そのパルス幅は、モータ駆動に影響を与えないように、モータ駆動信号のパルス幅と比べて十分短く設定されている。
【００３５】
次に、リセットユニット２７はユーザによりリュウズスイッチ２６が操作されたことを検出して、分周ユニット１２のリセット処理を行う。
さてここで、温度に対する歩度特性の補正について説明する。
図２（ａ）は、発振ユニット １１の発振周波数特性を温度に対する歩度特性として示したものであり、同図（ｂ）は、感温発振ユニット２３の温度に対する発振周波数特性を示したものである。
【００３６】
図２（ａ）に示すように発振ユニット１１の発振周波数特性は、凸型の２次曲線で表される。一般にこの曲線は以下に示す式（１）で与えられる。
【００３７】
ｙ＝−β（θ−θｔ）２＋ｙ０                  ……（１）
【００３８】
但し、ｙは使用温度における歩度、βは傾き、θは使用温度、θｔは頂点の温度、ｙ０は頂点の歩度である。したがって、この特性を予め測定して既知にしておけば、使用時の温度と既知の特性から基準発振信号の歩度ｙを求めることができ、これに基づいて歩度ｙが「０」となるように補正を行うことが可能となる。  上述したアナログ電子時計１０においては、機器の内部温度を感温発振ユニット２３を用いて計測している。感温発振信号の周波数は、図２（ｂ）に示すように温度を変数とした、以下に示す式（２）で与えられる。
【００３９】
ｆ＝ａ・θ＋ｆ０                                        ……（２）
【００４０】
但し、ｆは使用温度における周波数、ａは傾き、θは使用温度、ｆ０は切片の周波数である。
【００４１】
式（１）および式（２）から、以下に示す式（３）が導かれる。
【００４２】
ｙ＝−β’（ｆ−ｆｔ）２＋ｙ０                ……（３）
【００４３】
但し、β’＝β／ａ２、ｆｔは頂点の温度に対応する感温発振信号の周波数である。式（３）において、感温発振信号の周波数は、アナログ電子時計を使用中に知ることができる。したがって、使用中に歩度ｙを算出するためには、β’、ｆｔ、ｙ０を予め算出しておく必要がある。
【００４４】
このため、本実施形態では、アナログ電子時計１０を温度Ｔ１、Ｔ２、Ｔ３といった３点で恒温状態に保ち、各温度において歩度ｙ１、ｙ２、ｙ３を測定する。ここで、各温度の感温発振信号の周波数をｆ１、ｆ２、ｆ３とすれば、以下に示す式（４）〜（６）が与えられる。
【００４５】
ｙ１＝−β’（ｆ１−ｆｔ）２＋ｙ０        ……（４）
ｙ２＝−β’（ｆ２−ｆｔ）２＋ｙ０        ……（５）
ｙ３＝−β’（ｆ３−ｆｔ）２＋ｙ０        ……（６）
【００４６】
本実施形態では、後述する外部調整装置３０において、式（４）〜（６）を満たすβ’、ｆｔ、ｙ０を求め、これらを温度補正データとしてアナログ電子時計１０に送信している。そして、アナログ電子時計１０は温度補正データを記憶ユニット２２に記憶しておき、温度補正ユニット２４が使用温度における感温発振信号の周波数ｆと温度補正データ（β’、ｆｔ、ｙ０）に基づいて、式（３）の演算を行い、使用時の歩度ｙを算出し、これが「０」になるように分周ユニット１２の分周比を補正している。
【００４７】
これにより、アナログ電子時計１０は、環境温度が変化しても極めて高精度な計時を行うことができる。
【００４８】
［１．２］  外部調整装置の構成
次に、外部調整装置の構成について説明する。図３に外部調整装置の概要構成ブロック図を示す。
【００４９】
外部調整装置３０は、アナログ電子時計１０のモータコイル１４と電磁結合するコイル３１と、シフトレジスタ、出力バッファトランジスタ等で構成され、コイル３１を介してアナログ電子時計１０と間でデータの送受信を行う送信ユニット４０と、コンパレータ、シフトレジスタなどで構成され、コイル３１を介して受信動作を行う受信ユニット３２と、カウンタなどで構成され周波数測定を行う周波数測定ユニット３３と、カウンタやゲート類等で構成され温度補正データを作成する温度補正データ作成ユニット３４と、カウンタやゲート類等で構成され外部調整装置３０全体の制御を行う制御ユニット３５と、カウンタやゲート類等で構成されテスト信号を作成するテスト信号作成ユニット３６と、カウンタやゲート類等で構成され補正データ信号を作成する補正データ信号作成ユニット３７と、を備えている。
【００５０】
周波数測定ユニット３３は、感温発振テスト信号や駆動パルス信号の周波数を測定し、これを温度補正データ作成ユニット３４に出力する。
温度補正データ作成ユニット３４は、感温発振テスト信号の周波数に基づいて感温発振信号の周波数ｆを算出し、駆動パルス信号の周波数に基づいて歩度ｙを算出する。この動作を、３点の各温度について行い式（４）〜（６）に示す（ｙ１，ｆ１）、（ｙ２，ｆ２）、（ｙ３，ｆ３）を求め、これらに基づいて温度補正データ（β’、ｆｔ、ｙ０）を算出する。補正データ信号作成ユニット３７は、作成された温度補正データに基づいて送信に用いられる温度補正データ信号を作成する。
【００５１】
また、制御ユニット３５は外部調整装置３０全体を制御する。テスト信号作成ユニット３６は、制御ユニット３５の制御の下、第１〜第４テスト信号ＴＳ１〜ＴＳ４を所定のタイミングで作成する。第１〜第４テスト信号ＴＳ１〜ＴＳ４は、アナログ電子時計１０に対して、動作モードの切り換えを指示する信号であって、それらのパルスパターンは上述したデータ制御ユニット２１において既知である。
【００５２】
［１．３］  第１実施形態の動作
次に図４および図５を参照して第１実施形態の動作について説明する。図４に動作タイミングチャートを示し、図５に動作処理フローチャートを示す。以下、アナログ電子時計１０を通常に動作させる通常モード、外部調整装置３０を用いてアナログ電子時計１０の諸特性を温度Ｔ１、Ｔ２およびＴ３において測定する測定モード、および３点の測定結果に基づいて温度補正データを算出しこれをアナログ電子時計１０に書き込む書込モードに分けて説明する。
【００５３】
［１．３．１］  通常モードの動作
まず、通常モードにおいて、アナログ電子時計１０の温度補正ユニット２４は、感温発振ユニット２３の発振周波数と記憶ユニット２２に記憶されている感温補正データとに基づいて、分周ユニット１２を構成する分周カウンタの一部をセットまたはリセットする。これにより、分周比が調整されるので、発振ユニット１１の温度特性を補正することができる（ステップＳ１）。この場合の補正動作は、図４（ｅ）に示すパルスタイミングで行われる。なお、この例では、２秒に１回の割合で補正動作を行うようにしているが、１０秒〜３２０秒に１回の割合で補正動作を行うようにしてもよい。
【００５４】
［１．３．２］  測定モードの動作
この後、アナログ電子時計１０と外部調整装置３０との間でデータ通信を行うことができるように、両者を近接させて配置する。そして、環境温度をＴ１に保ち、第１回目の測定動作を開始する。
【００５５】
外部調整装置３０において、制御ユニット３５の制御の下、テスト信号作成ユニット３６によって第１テスト信号ＴＳ１が時刻ｔ１において生成されると、第１テスト信号ＴＳ１が、送信ユニット４０→コイル３１→モータコイル１４→受信ユニット２０の経路でアナログ電子時計１０に伝送される（図４（ｂ）参照）。なお、制御ユニット３５は測定回数を管理するため、初期状態においてレジスタの記憶値を「１」にセットしておく（ステップＳ２）。
【００５６】
そして、データ制御ユニット２１は、受信データのパルスパターンを識別して、第１テスト信号ＴＳ１を受信したか否かを判定し（ステップＳ３）、第１テスト信号ＴＳ１を受信するまで、判定を繰り返す。
【００５７】
次に、判定結果が「Ｙｅｓ」となり、データ制御ユニット２１が第１テスト信号ＴＳ１の受信を検出すると、データ制御ユニット２１は、時刻ｔ１において第１制御信号Ｃ１の論理レベルを“Ｈ”レベルに設定する（図４（ｃ）参照）。
“Ｈ”レベルの第１制御信号Ｃ１が駆動パルス発生ユニット１３に供給されると、駆動パルス発生ユニット１３は駆動パルス信号の生成を中止する（ステップＳ４）。また、“Ｈ”レベルの第１制御信号Ｃ１が感温発振テストユニット２５に供給されると、感温発振テストユニット２５は、感温発振信号を分周しこれを微分して得た感温発振テスト信号をモータドライバ１５に出力する。すると、感温発振テスト信号（図４（ａ），（ｄ）参照）が、モータドライバ１５→モータコイル１４→コイル３１→受信ユニット３２の経路で送信される（ステップＳ５）。
このように、感温発振テスト信号を送信する期間において、駆動パルス信号の生成を禁止したのは、駆動パルス信号のパルスと感温発振テスト信号のパルスとが重なってしまうと、外部調整装置３０において両者を区別することができないからである。この例では、駆動パルス信号と感温発振テスト信号が排他的に送信されるので、外部調整装置３０は感温発振テスト信号を確実に検知することが可能である。
【００５８】
この後、周波数測定ユニット３３は、制御ユニット３５の制御の下、受信した感温発振テスト信号のパルス間隔を測定することにより、感温発振テスト信号の周波数を検出する。この場合、制御ユニット３５は第１テスト信号ＴＳ１を生成してから第２テスト信号ＴＳ２を生成するまでの期間（時刻ｔ１から時刻ｔ２）に受信したパルス数をカウントするように周波数測定ユニット３３を制御する。当該期間は予め定められた時間である。このため、周波数測定ユニット３３は、その測定値に基づいて感温発振信号の周波数を検出することができる。
【００５９】
次に、制御ユニット３５の制御の下、テスト信号作成ユニット３６は第２テスト信号ＴＳ２を時刻ｔ２において生成する（図４（ｂ）参照）。第２テスト信号ＴＳ２は、送信ユニット４０→コイル３１→モータコイル１４→受信ユニット２０の経路でアナログ電子時計１０に伝送される。
【００６０】
一方、アナログ電子時計１０のデータ制御ユニット２１は、第１テスト信号ＴＳ１を検出すると、第２テスト信号ＴＳ２の受信に備えて、それを受信したか否かの判定を開始する（ステップＳ６）。データ制御ユニット２１は、受信データのパルスパターンを識別して、第２テスト信号ＴＳ２を受信するまで、判定を繰り返す。
【００６１】
次に、判定結果が「Ｙｅｓ」となり、データ制御ユニット２１が第２テスト信号ＴＳ２の受信を時刻ｔ２において検出すると、データ制御ユニット２１は、第１制御信号Ｃ１の論理レベルを“Ｌ”レベルに設定する。“Ｌ”レベルの第１制御信号Ｃ１が駆動パルス発生ユニット１３に供給されると、駆動パルス発生ユニット１３は駆動パルス信号の生成を時刻ｔ２から再開する（ステップＳ７）。
【００６２】
また、データ制御ユニット２１は、第２テスト信号ＴＳ２の受信を検出すると、第２制御信号Ｃ２の論理レベルを“Ｈ”レベルに設定する（図４（ｆ）参照）。“Ｈ”レベルの第２制御信号Ｃ２が温度補正ユニット２４に供給されると、温度補正ユニット２４は分周比の調整を停止し、予め定められた分周比で分周ユニット１２が動作するように分周ユニット１２を制御する。これにより、温度補正動作が禁止される（ステップＳ８）。なお、この分周比は、外部調整装置３０の温度補正データ作成ユニット３４において既知である。
【００６３】
このように補正動作を禁止したのは、補正動作中の分周ユニット１２の分周比を外部調整装置３０で知ることができないので、駆動パルス信号を外部調整装置３０で受信しても基準発振信号の周波数を算出することができないからである。これに対して、この例では、補正動作を禁止して、予め定められた分周比で基準発振信号を分周して駆動パルス信号を生成しているので、駆動パルス信号の周波数を外部調整装置３０で測定することによって、基準発振信号の周波数を検知することができる。
【００６４】
この後、駆動パルス信号がモータドライバ１５に供給されると、駆動モータが駆動されるとともに、駆動パルス信号が「モータドライバ１５→モータコイル１４→コイル３１→受信ユニット３２」の経路で送信される。すると、周波数測定ユニット３３は、駆動パルス信号の周波数を検出する。上述したように駆動パルス信号は、基準発振信号を予め定められた分周比で分周した分周発振信号に基づいて生成されるので、駆動パルス信号の周波数から温度Ｔ１における基準発振信号の周波数を知ることができる。
【００６５】
次に、制御ユニット３５の制御の下、テスト信号作成ユニット３６は第３テスト信号ＴＳ３を時刻ｔ３において生成する（図４（ｂ）参照）。第３テスト信号ＴＳ３は、送信ユニット４０→コイル３１→モータコイル１４→受信ユニット２０の経路でアナログ電子時計１０に伝送される。
【００６６】
一方、アナログ電子時計１０のデータ制御ユニット２１は、第２テスト信号ＴＳ２を検出すると、第３テスト信号ＴＳ３の受信に備えて、それを受信したか否かの判定を開始する（ステップＳ９）。データ制御ユニット２１は、受信データのパルスパターンを識別して、第３テスト信号ＴＳ３を受信するまで、判定を繰り返す。
【００６７】
次に、判定結果が「Ｙｅｓ」となり、データ制御ユニット２１が第３テスト信号ＴＳ３の受信を検出すると、データ制御ユニット２１は、第２制御信号Ｃ２の論理レベルを“Ｌ”レベルに設定する。“Ｌ”レベルの第２制御信号Ｃ２が温度補正ユニット２４に供給されると、温度補正ユニット２４は分周比の調整を再開し、温度補正データに基づいて分周ユニット１２を制御する。これにより、温度補正動作の禁止が解除される（ステップＳ１０）。
【００６８】
この後、ステップＳ１１に進み、制御ユニット３５はレジスタの記憶値が「３」であるか否かを判定し（ステップＳ１１）、記憶値が「３」であるならば、後述する書込モードに移行させる。一方、記憶値が「３」でない場合には、レジスタの記憶値を「１」歩進して（ステップＳ１２）、記憶値が「３」に達するまでステップＳ３からステップＳ１２の処理を繰り返す。具体的には、第１回目の測定動作が終了すると、環境温度をＴ１からＴ２に変化させ、恒温状態になった時点で、第２回目の測定を行う。第２回目の測定が終了すると、環境温度をＴ２からＴ３に変化させ、恒温状態になった時点で、第３回目の測定を行う。
【００６９】
このようにして、３回の測定が終了した時点で、温度補正データ作成ユニット３４は、温度Ｔ１における基準発振信号の周波数Ｆ１および感温発振信号の周波数ｆ１、温度Ｔ２における基準発振信号の周波数Ｆ２および感温発振信号の周波数ｆ２、温度Ｔ３における基準発振信号の周波数Ｆ３および感温発振信号の周波数ｆ３を、検知している。
【００７０】
［１．３．３］  書込モードの動作
次に、書込モードに移行すると、温度補正データ作成ユニット３４は、（ｆ１，Ｆ１）、（ｆ２，Ｆ２）、（ｆ３，Ｆ３）に基づいて、温度補正データを生成する。温度補正データ作成ユニット３４は、まず、Ｆ１、Ｆ２、Ｆ３に各々対応する歩度ｙ１、ｙ２、ｙ３を算出する。
【００７１】
次に、上述した式（４）〜（６）の全てを満たす係数β’、基準周波数ｆｔ、基準歩度ｙ０を算出し、これらを温度補正データとして生成する。
このようにして、温度補正データが生成されると、テスト信号作成ユニット３６は、制御ユニット３５の制御の下、第４テスト信号ＴＳ４を生成する。また、第４テスト信号ＴＳ４が出力されると、これに続いて、送信用の温度補正データが、補正データ信号作成ユニット３７から出力される。
【００７２】
第４テスト信号ＴＳ４と温度補正データは、送信ユニット４０→コイル３１→モータコイル１４→受信ユニット２０の経路でアナログ電子時計１０に伝送される。
一方、アナログ電子時計１０のデータ制御ユニット２１は、第３テスト信号ＴＳ３を検出すると、第４テスト信号ＴＳ４の受信に備えて、それを受信したか否かの判定を開始する（ステップＳ１２）。データ制御ユニット２１は、受信データのパルスパターンを識別して、第４テスト信号ＴＳ４を受信するまで、判定を繰り返す。
【００７３】
次に、判定結果が「Ｙｅｓ」となり、データ制御ユニット２１が第４テスト信号ＴＳ４の受信を検出すると、データ制御ユニット２１は、次に送られて来るデータが温度補正データであることを検知し待機する。
【００７４】
この後、温度補正データを受信すると（ステップＳ１３）、データ制御ユニット２１は温度補正データを記憶ユニット２２に書き込む（ステップＳ１４）。この書込みが終了すると、データ制御ユニット２１は、書込モードから通常モードへ移行させ、処理を終了する。
【００７５】
［１．４］  第１実施形態の効果
以上の説明したように、本実施形態によれば、以下に述べる効果を奏する。
（１）このアナログ電子時計１０によれば、外装に組み込んだ状態で温度補正を行うことができる。このため、回路ブロックをムーブメントに組み込む際、およびムーブメントを外装に組み込む際に発生する浮遊容量によって基準発振信号の周波数特性がシフトするといった問題を根本的に解決することができる。この結果、極めて精度の高いアナログ電子時計１０を生産することができる。
【００７６】
（２）また、従来のアナログ電子時計は、回路ブロック又はムーブメント状態で温度特性を調整し、さらに外装に組み込んだ状態で最終的な検査を行って、検査で不合格となった製品については、外装からムーブメントを取り出して調整を再度行い。検査で合格となるまでこれを繰り返していた。これに対して、上述したアナログ電子時計１０では、外装に組み込んだ状態で温度特性の調整を行うことができるので、製品の歩留まりを飛躍的に向上させることができる。
【００７７】
（３）また、非接触で発振ユニット１１と感温発振ユニット２３の温度に対する発振周波数特性を測定することができるので、高精度な測定用プローブおよびテスト端子と測定用プローブとの位置決めを行うための位置決め装置といった設備を必要としないので、製造コストを低下させることができる。さらに、高精度の位置決めが不要であるから調整時間を大幅に短縮することができる。
【００７８】
［２］  第２実施形態
次に本発明の第２実施形態について図面を参照して説明する。
［２．１］  アナログ電子時計の構成
図６に第２実施形態のアナログ電子時計の概要構成ブロック図を示す。
図６において、図１のアナログ電子時計１０と同様の部分には同一の符号を付し、その詳細な説明を省略する。
【００７９】
本第２実施形態のアナログ電子時計１０Ａが、アナログ電子時計１０と異なる点は、感温発振ユニット２３が出力する感温発振信号の周波数を測定し、感温発振信号の周波数に相当する値を有するディジタル発振周波数データを出力する周波数測定ユニット２８と、データ制御ユニット２１からの第１周波数制御信号ＳＣＦ１および温度補正ユニット２４からの第２周波数制御信号ＳＣＦ２が入力され、両入力信号の論理和をとってスイッチングコンデンサ制御信号ＳＳＷ１を出力するＯＲ回路２９と、発振ユニット１１Ａの発振周波数を微調整するためのスイッチングコンデンサＣＳＷと、スイッチングコンデンサ制御信号ＳＳＷ１に基づいてスイッチングコンデンサＣＳＷを発振ユニット１１Ａに接続するためのスイッチＳＷ１と、を備えた点である。
【００８０】
［２．２］  外部調整装置の構成
次に、第２実施形態の外部調整装置の構成について説明する。
図７に外部調整装置の概要構成ブロック図を示す。
【００８１】
外部調整装置３０Ａが図３の外部調整装置３０と異なる点は、受信ユニット３２を介して入力されるディジタル発振周波数データをデコードするデコーダユニット３９と、アナログ電子時計１０Ａの動作モードを制御するためのモード制御信号を生成するモード制御信号作成ユニット３８と、を備えた点である。
【００８２】
［２．３］  第２実施形態の動作
次に本第２実施形態の動作について説明するが、通常モードの動作および書込モードの動作については第１実施形態と同様であるので、その詳細な説明を省略し、測定モードの動作を図８乃至図１０を参照して説明する。
【００８３】
測定モードの動作
本第２実施形態における測定モードにおいては、アナログ電子時計１０Ａと外部調整装置３０Ａとの間でデータ通信を行うことができるように、両者を近接させて配置する。そして、環境温度をＴ１に保ち、第１回目の測定動作を開始する。
この場合において、制御ユニット３５は測定回数を管理するため、初期状態においてレジスタの記憶値ｎ＝１にセットしておく（ステップＳ２１）。
【００８４】
そして、外部調整装置３０Ａにおいて、制御ユニット３５の制御の下、モード制御信号作成ユニット３８によって第１テスト信号ＴＳ１１が生成されると、第１テスト信号ＴＳ１１が、送信ユニット４０→コイル３１→モータコイル１４→受信ユニット２０の経路でアナログ電子時計１０Ａに伝送される（図９（ｂ）参照）
そして、データ制御ユニット２１は、受信データのパルスパターンを識別して、第１テスト信号ＴＳ１１（図中、テスト信号１で示す）を受信したか否かを判定し（ステップＳ２２）、第１テスト信号ＴＳ１１を受信するまで、判定を繰り返す。
【００８５】
次に、判定結果が「Ｙｅｓ」となり、データ制御ユニット２１が時刻ｔ１１において第１テスト信号ＴＳ１１の受信を検出すると、データ制御ユニット２１は、時刻ｔ１１において第１制御信号Ｃ１１の論理レベルを“Ｈ”レベルに設定する（図９（ｃ）参照）。
【００８６】
“Ｈ”レベルの第１制御信号Ｃ１１が温度補正ユニット２４に供給されると、温度補正ユニット２４は分周比の調整を停止し、予め定められた分周比で分周ユニット１２が動作するように分周ユニット１２を制御する。これにより、温度補正動作が禁止される（ステップＳ２３）。なお、この分周比は、外部調整装置３０の温度補正データ作成ユニット３４において既知である。
【００８７】
このように補正動作を禁止したのは、補正動作中の分周ユニット１２の分周比を外部調整装置３０で知ることができないので、ディジタル発振周波数データの基準クロックが大幅にずれてしまい、ディジタル発振周波数データを外部調整装置３０Ａが受信し、デコードした場合に正確にデコードすることができず、基準発振信号の周波数を検知することができなくなってしまうからである。
【００８８】
また、“Ｈ”レベルの第１制御信号Ｃ１が駆動パルス発生ユニット１３に供給されると、駆動パルス発生ユニット１３は駆動パルス信号の生成を中止する（ステップＳ２４）。
【００８９】
また、“Ｈ”レベルの第１制御信号Ｃ１が感温発振テストユニット２５に供給されると、感温発振テストユニット２５が周波数測定ユニット２８を制御し、周波数測定ユニット２８は、感温発信器の発振周波数の測定を行う（ステップＳ２５）。
【００９０】
この後、周波数測定ユニット２８は、制御ユニット３５の制御の下、受信した感温発振テスト信号のパルス間隔を測定することにより、感温発振テスト信号の周波数を検出する。この場合、制御ユニット３５は第１テスト信号ＴＳ１１を生成してから第２テスト信号ＴＳ１２を生成するまでの期間（時刻ｔ１１から時刻ｔ１２）において、感温発振ユニット２３の周波数を測定するように周波数測定ユニット２８を制御する。
【００９１】
次に、制御ユニット３５の制御の下、モード制御信号作成ユニット３８は第２テスト信号ＴＳ１２を時刻ｔ１２において生成する（図９（ｂ）参照）。
第２テスト信号ＴＳ１２は、送信ユニット４０→コイル３１→モータコイル１４→受信ユニット２０の経路でアナログ電子時計１０に伝送される。
一方、アナログ電子時計１０Ａのデータ制御ユニット２１は、第１テスト信号ＴＳ１１を検出すると、第２テスト信号ＴＳ１２（図中、テスト信号２で示す。）の受信に備えて、それを受信したか否かの判定を開始する（ステップＳ２６）。データ制御ユニット２１は、受信データのパルスパターンを識別して、第２テスト信号ＴＳ１２を受信するまで、判定を繰り返す。
【００９２】
次に、判定結果が「Ｙｅｓ」となり、データ制御ユニット２１が第２テスト信号ＴＳ１２の受信を時刻ｔ１２において検出すると、データ制御ユニット２１は、第１制御信号Ｃ１１の論理レベルを“Ｌ”レベルに設定する。
また、データ制御ユニット２１は、第２テスト信号ＴＳ１２の受信を検出すると、第２制御信号Ｃ１２の論理レベルを“Ｈ”レベルに設定する（図９（ｆ）参照）。
【００９３】
これにより周波数測定ユニット２８は、ディジタル発振周波数データを測定結果として感温発振テストユニット２５、モータドライバ１５及びモータコイル１４を介して送信する（ステップＳ２７）。
【００９４】
一方、外部調整装置３０Ａは、コイル３１、受信ユニット３２を介してデコーダユニット３９においてディジタル発振周波数データのデコードを行い、温度補正データ作成ユニット３４は、温度Ｔ１における基準発振信号の周波数を知ることができる。
【００９５】
次に、制御ユニット３５の制御の下、テスト信号作成ユニット３６は第３テスト信号ＴＳ１３を時刻ｔ１３において生成する（図９（ｂ）参照）。第３テスト信号ＴＳ３は、送信ユニット４０→コイル３１→モータコイル１４→受信ユニット２０の経路でアナログ電子時計１０に伝送される。
【００９６】
一方、アナログ電子時計１０のデータ制御ユニット２１は、第２テスト信号ＴＳ２を検出すると、第３テスト信号ＴＳ１３の受信に備えて、それを受信したか否かの判定を開始する（ステップＳ２８）。データ制御ユニット２１は、受信データのパルスパターンを識別して、第３テスト信号ＴＳ１３を受信するまで、判定を繰り返す。
【００９７】
次に、判定結果が「Ｙｅｓ」となり、データ制御ユニット２１が第３テスト信号ＴＳ１３の受信を検出すると、データ制御ユニット２１は、第２制御信号Ｃ１２の論理レベルを“Ｌ”レベルに設定する。
【００９８】
また、データ制御ユニット２１は、第３テスト信号ＴＳ１３の受信を検出すると、第３制御信号Ｃ１３の論理レベルを“Ｈ”レベルに設定する（図９（ｇ）参照）。
【００９９】
これにともない、データ制御ユニット２１は、第１周波数制御信号ＳＣＦ１を“Ｈ”レベルとし、ＯＲ回路２９の出力であるスイッチングコンデンサ制御信号ＳＳＷ１を“Ｈ”レベルとする。
この結果、スイッチＳＷ１はオン状態となり、スイッチングコンデンサＣＳＷは発振ユニット１１Ａに接続され（ステップＳ２９）、発振ユニット１１Ａの発振周波数がスイッチングコンデンサＣＳＷの容量に応じて減少することとなる。
【０１００】
また、“Ｈ”レベルの第３制御信号Ｃ１３が駆動パルス発生ユニット１３に供給されると、駆動パルス信号の生成禁止が解除され、駆動パルス発生ユニット１３は駆動パルス信号の生成を再開する（ステップＳ３０）。
【０１０１】
一方、アナログ電子時計１０のデータ制御ユニット２１は、第３テスト信号ＴＳ１３を検出すると、第４テスト信号ＴＳ１４の受信に備えて、それを受信したか否かの判定を開始する（ステップＳ３１）。データ制御ユニット２１は、受信データのパルスパターンを識別して、第４テスト信号ＴＳ１４を受信するまで、判定を繰り返す。
【０１０２】
次に、判定結果が「Ｙｅｓ」となり、データ制御ユニット２１が第４テスト信号ＴＳ１４の受信を検出すると、第４制御信号Ｃ１４の論理レベルを“Ｈ”レベルに設定する（図１０（ｈ）参照）。
【０１０３】
これにともない、データ制御ユニット２１は、第１周波数制御信号ＳＣＦ１を“Ｌ”レベルとし、ＯＲ回路２９の出力であるスイッチングコンデンサ制御信号ＳＳＷ１を“Ｌ”レベルとする。
【０１０４】
この結果、スイッチＳＷ１はオフ状態となり、スイッチングコンデンサＣＳＷは発振ユニット１１Ａに非接続状態とされ（ステップＳ３２）、発振ユニット１１Ａの発振周波数が増加する（元に戻る）こととなる。
【０１０５】
一方、アナログ電子時計１０のデータ制御ユニット２１は、第４テスト信号ＴＳ１４を検出すると、第４テスト信号ＴＳ１４の受信に備えて、それを受信したか否かの判定を開始する（ステップＳ３３）。データ制御ユニット２１は、受信データのパルスパターンを識別して、第４テスト信号ＴＳ１４を受信するまで、判定を繰り返す。
【０１０６】
次に、ステップＳ３３の判定結果が「Ｙｅｓ」となり、データ制御ユニット２１が第４テスト信号ＴＳ１４の受信を検出すると、第５制御信号Ｃ１５の論理レベルを“Ｌ”レベルに設定する（図１０（ｈ）参照）。
【０１０７】
これにより温度補正ユニット２４は分周比の調整を再開し、温度補正データに基づいて分周ユニット１２を制御する。これにより、温度補正動作の禁止が解除される（ステップＳ３４）。
【０１０８】
次に制御ユニット３５はレジスタの記憶値ｎ＝３であるか否かを判定し（ステップＳ３５）、記憶値ｎ＝３であるならば、第１実施形態において説明した書込モードに移行させる。
【０１０９】
一方、記憶値ｎ＝３でない場合には、レジスタの記憶値ｎ＝ｎ＋１として（ステップＳ３６）、記憶値ｎ＝３となるまでステップＳ２２からステップＳ３５の処理を繰り返す。
【０１１０】
具体的には、第１回目の測定動作が終了すると、環境温度をＴ１からＴ２に変化させ、恒温状態になった時点で、第２回目の測定を行う。第２回目の測定が終了すると、環境温度をＴ２からＴ３に変化させ、恒温状態になった時点で、第３回目の測定を行う。
【０１１１】
このようにして、３回の測定が終了した時点で、外部調整装置３０Ａの温度補正データ作成ユニット３４は、温度Ｔ１における基準発振信号の周波数Ｆ１および感温発振信号の周波数ｆ１、温度Ｔ２における基準発振信号の周波数Ｆ２および感温発振信号の周波数ｆ２、温度Ｔ３における基準発振信号の周波数Ｆ３および感温発振信号の周波数ｆ３を、検知し、対応する補正データ信号を補正データ信号作成ユニット３７に生成させ、送信ユニット４０及びコイル３１を介してアナログ電子時計１０に送信する。
【０１１２】
これによりアナログ電子時計１０Ａは書込モードとなり、モータコイル１４及び受信ユニット２０を介してデータ制御部は温度補正データを受信し（ステップＳ３７）、記憶ユニットに温度補正データを書き込むこととなる（ステップＳ３８）。
【０１１３】
［２．４］  第２実施形態の効果
以上の説明のように、本第２実施形態によれば、第１実施形態の効果に加えて、感温発信器の発振周波数をディジタルデータとして出力できるため、よりノイズに強い通信を行うことができる。また、アナログ電子時計内部で発振周波数測定を行っているため、水晶発振器の発振周波数との整合性をより高く採ることができ、測定精度を向上させることができる。
【０１１４】
また、外部調整装置からの信号（第１テスト信号）により測定を開始するため、感温発信器の周波数測定を任意のタイミングで行うことができ、測定データを送信する直前に測定することができるため、温度変化の影響を低減して、より高精度の測定が行える。
【０１１５】
また、水晶発振器として、スイッチングコンデンサにより発振周波数を微少に変化可能なタイプを用いた場合であっても測定を行うことができる。
【０１１６】
［３］  実施形態の変形例
［３．１］  第１変形例
上記実施形態においては、電子機器としてアナログ電子時計を例にとって説明したが、これに限らず、例えば、電動歯ブラシや、電動ひげ剃り、コードレス電話、携帯電話、パーソナルハンディフォン、モバイルパソコン、ＰＤＡ（Ｐｅｒｓｏｎａｌ Ｄｉｇｉｔａｌ Ａｓｓｉｓｔａｎｔｓ：個人向情報端末）などの各種電子機器の調整や、
内蔵センサの調整にも適用可能である。
【０１１７】
［３．２］  第２変形例
上記実施形態においては、機器の内部温度を感温発振ユニット２３で測定し、内部温度情報を感温発振テスト信号の周波数あるいはそのディジタルデータとして出力したが、本発明はこれに限定されるものではなく、機器の内部温度を検出して温度信号を出力するのであれば、その信号形態は問わない。
【０１１８】
［３．３］  第３変形例
上記実施形態においては、歩度を補正するため、分周ユニット１２の分周比を調整するようにしたが、発振ユニット１１の素子定数を変更することにより歩度を補正するようにしてもよい。また、これらを組み合わせて歩度を補正するようにしてもよい。要は、検出された温度と予め記憶された温度補正データに基づいて、駆動パルス信号の周波数を補正するのであれば、どのような補正方法であってもよい。
【０１１９】
［３．４］  第４変形例
上記実施形態においては、第１〜第４テスト信号ＴＳ１〜ＴＳ４をテスト信号作成ユニット３６で発生し、これをアナログ電子時計１０に送信することによってアナログ電子時計１０の動作モードを外部から制御したが、本発明はこれに限定されるものではなく、第１テスト信号ＴＳ１を外部調整装置３０からアナログ電子時計１０に伝送すると、データ制御ユニット２１によって第１テスト信号ＴＳ１を検出し、後は予め定められたシーケンスに従って、感温発振テスト信号の出力と補正動作の禁止を行うようにしてもよい。
【０１２０】
［３．５］  第５変形例
上記実施形態においては、駆動パルス信号の生成を中止し（ステップＳ４）、感温発振テスト信号を送信（ステップＳ５）した後に、駆動パルス信号の生成を再開し（ステップＳ７）、温度補正動作を禁止（ステップＳ８）したが、本発明はこれに限定されるものではなく、先に温度補正動作を禁止して駆動パルス信号の周波数を測定し、この後、駆動パルス信号の生成を中止して感温発振テスト信号を生成してその周波数を測定するようにしても良いことは勿論である。
【０１２１】
［３．６］  第６変形例
上記実施形態において、アナログ電子時計１０のデータ制御ユニット２１を中央演算処理装置（ＣＰＵ）によって構成し、ソフトウエアで上述した各種の処理を実行しても良いことは勿論である。また、モータコイル１４は、指針を駆動するためのモータコイル１４に限られず、発電用のモータにおけるモータコイルであっても良い。
【０１２２】
［３．７］  第７変形例
上記実施形態においては、温度補正動作を禁止した状態で駆動パルス信号をモータコイル１４を介して外部に出力することにより、外部調整装置３０で基準発振信号の周波数を検出できるようにしたが、要は外部調整装置３０において基準発振信号の周波数を検知できればよいから、本発明はこれに限定されるものではなく、基準発振信号の周波数に応じた信号をモータコイル１４を介して外部に出力するのであれば、どのように構成してもよいことは勿論である。なお、当該信号と感温発振信テスト信号とを区別するため、両者は選択的に出力することが望ましい。
【０１２３】
［４］  実施形態の効果
上記実施形態によれば、電子機器をより製品に近い状態で温度特性を調整でき、調整精度を向上させることが可能となる。また、調整時間を短縮することができ、さらに、電子機器の製造コストを低減させることができる。
【図面の簡単な説明】
図１は、第１実施形態に係るアナログ電子時計の概要構成ブロック図である。
図２は、温度に対する歩度特性の補正について説明するための図である。
図３は、第１実施形態の外部調整装置の概要構成ブロック図である。
図４は、第１実施形態の動作タイミングチャートである。
図５は、第１実施形態の動作処理フローチャートである。
図６は、第２実施形態に係るアナログ電子時計の概要構成ブロック図である。
図７は、第２実施形態の外部調整装置の概要構成ブロック図である。
図８は、第２実施形態の動作処理フローチャートである。
図９は、第２実施形態の動作タイミングチャート（その１）である。
図１０は、第２実施形態の動作タイミングチャート（その２）である。
【図１】
0003558040.tif 000002
【図２】
0003558040.tif 000003
【図３】
0003558040.tif 000004
【図４】
0003558040.tif 000005
【図５】
0003558040.tif 000006
【図６】
0003558040.tif 000007
【図７】
0003558040.tif 000008
【図８】
0003558040.tif 000009
【図９】
0003558040.tif 000010
【図１０】
0003558040.tif 000011